(57)【要約】【課題】携帯端末の情報記憶形式に関わらず、電話帳情報等の復元が可能なデータ保存システムを提供する。【解決手段】携帯電話機５をデータ保存装置１にケーブル３５を介して接続し、携帯電話機５の電話帳情報を取得し、テキストデータに変換し、識別番号を付加したテキストファイルをネットワーク３３でサーバ３に送ってサーバ３の電話帳データベース７に保存し、識別番号を書き込んだ認証カードを発行する。携帯電話機５に電話帳情報を復元する場合は、認証カードをデータ保存装置１に挿入し、認証カードに入力されている識別番号に対応したテキストファイルをサーバ３から読み出す。読み出したテキストファイルを携帯電話機５に対応する形式の電話帳情報に変換し、携帯電話機５に電話帳情報を復元する。【選択図】　図１
2004015617.tif 000002
【特許請求の範囲】
【請求項１】
データ保存装置と、サーバとを備えたデータ保存システムであって、
前記データ保存装置は、
携帯端末から送られる携帯端末データを他の形式のデータに変換する手段と、
前記他の形式のデータを前記サーバに送信する手段とを有し、
前記サーバは、
前記他の形式のデータを保存する保存手段を有することを特徴とするデータ保存システム。
【請求項２】
前記データ保存装置は、前記携帯端末データを変換した前記他の形式のデータに識別番号を付加することを特徴とする請求項１記載のデータ保存システム。
【請求項３】
前記データ保存装置は、前記他の形式のデータに付加した前記識別番号を書き込んだ認証カードを発行することを特徴とする請求項１記載のデータ保存システム。
【請求項４】
前記他の形式のデータは、テキストデータであることを特徴とする請求項１記載のデータ保存システム。
【請求項５】
データ保存装置と、サーバとを備えたデータ保存システムであって、
前記サーバは、
データを読み出す読み出し手段と、
前記データを前記データ保存装置に送信する手段とを有し、
前記データ保存装置は、
前記データを携帯端末の携帯端末データに変換して、携帯端末に送信する手段を有することを特徴とするデータ保存システム。
【請求項６】
前記データ保存装置は、
認証カードに書き込まれた識別番号を読み出す手段と、
前記識別番号を前記サーバに送信する手段を有し、
前記読み出し手段は、
前記識別番号に対応する前記データを読み出すことを特徴とする請求項５記載のデータ保存システム。
【請求項７】
前記データは、テキストデータであることを特徴とする請求項５記載のデータ保存システム。
【請求項８】
サーバにネットワークを介して接続されたデータ保存装置であって、
携帯端末から送られる携帯端末データを、他の形式のデータに変換する手段と、
前記他の形式のデータを前記サーバに送信する手段を有することを特徴とするデータ保存装置。
【請求項９】
前記携帯端末データを変換した前記他の形式のデータに、識別番号を付加することを特徴とする請求項８記載のデータ保存装置。
【請求項１０】
前記他の形式のデータに付加した前記識別番号を書き込んだ認証カードを発行することを特徴とする請求項８記載のデータ保存装置。
【請求項１１】
前記他の形式のデータは、テキストデータであることを特徴とする請求項８記載のデータ保存装置。
【請求項１２】
サーバにネットワークを介して接続されたデータ保存装置であって、
サーバから送られるデータを携帯端末の携帯端末データに変換して、携帯端末に送信する手段を有することを特徴とするデータ保存装置。
【請求項１３】
認証カードに書き込まれた識別番号を読み出す手段と、前記識別番号を前記サーバに送信する手段を有することを特徴とする請求項１２記載のデータ保存装置。
【請求項１４】
前記データは、テキストデータであることを特徴とする請求項１２記載のデータ保存装置。
【請求項１５】
データ保存装置にネットワークを介して接続されたサーバであって、
データ保存装置から送られる識別番号に対応するデータを読み出す読み出し手段と、
前記データをデータ保存装置に送信する手段を有することを特徴とするサーバ。
【請求項１６】
前記データは、テキストデータであることを特徴とする請求項１５記載のサーバ。
【請求項１７】
コンピュータを請求項１５記載のサーバとして機能させるプログラム。
【請求項１８】
コンピュータを請求項１５記載のサーバとして機能させるプログラムを記録した記録媒体。
【発明の詳細な説明】
【０００１】
【発明の属する技術分野】
本発明はデータ保存システム等に関するものであり、特に、ネットワークを介して携帯電話機、ＰＤＡなどの携帯端末の電話帳情報等をサーバに保存し、さらに格納した電話帳情報等を携帯端末に復元するためのデータ保存システム等に関する。
【０００２】
【従来の技術】
携帯電話機、ＰＤＡ等の携帯端末を紛失したり、あるいは水没等で故障して携帯端末に登録されていた名前、電話番号、メールアドレス等の情報を失ってしまった場合、新規購入した携帯端末にこれらの情報を復元するには、他の媒体に保存されている情報を手入力により復元する方法がある。
【０００３】
あるいは、パソコンに専用アプリケーションを実装し、接続ケーブルでパソコンと携帯端末を接続し、携帯端末に登録されている情報を予め保存しておき、必要となったときにパソコンから携帯端末に情報を転送して情報を復元するという方法がある。
【０００４】
【発明が解決しようとする課題】
しかしながら、上記第１の方法では、復元を手入力で行うため、多大な時間と労力を必要とする。また、紛失あるいは故障した携帯端末にのみ保存されていて、他の媒体には保存されていなかった情報は復元することが不可能となる。
【０００５】
第２の方法では、新規購入した携帯端末が紛失あるいは故障した携帯端末と異なる機種で、パソコンに実装されている専用アプリケーション、あるいは接続ケーブルに対応していなければ、専用アプリケーション、接続ケーブルを再度購入する必要がある。さらに、新規購入した携帯端末の機種によっては、適合する専用アプリケーション、接続ケーブルがないため登録情報の復元が全くできない可能性もある。
【０００６】
本発明は、このような問題に鑑みてなされたもので、その目的とするところは、携帯端末の情報記憶形式に関わらず、電話帳情報等の復元が可能なデータ保存システムを提供することである。
【０００７】
【課題を解決するための手段】
前述した目的を達成するために第１の発明は、データ保存装置とサーバとを備えたデータ保存システムであって、データ保存装置は携帯端末から送られる携帯端末データを他の形式のデータに変換する手段と、他の形式のデータをサーバに送信する手段とを有し、サーバは他の形式のデータを保存する保存手段を有するデータ保存システムである。
【０００８】
データ保存装置は、携帯端末データを変換した他の形式のデータに識別番号を付加し、また、識別番号を書き込んだ認証カードを発行する。携帯端末は、携帯電話、ＰＤＡ等である。携帯端末データを変換した他の形式のデータは、例えばテキストデータであるが、テキストデータ以外の形式のデータでもよい。
【０００９】
第１の発明では、例えば店舗等にデータ保存装置を設置することにより、データ保存装置が設置してある場所ならばどこででも、携帯端末の情報記憶形式に関わらず、電話帳情報等の保存が行える。
【００１０】
第２の発明は、データ保存装置と、サーバとを備えたデータ保存システムであって、サーバはデータを読み出す読み出し手段と、データをデータ保存装置に送信する手段とを有し、データ保存装置はデータを携帯端末の携帯端末データに変換して、携帯端末に送信する手段を有するデータ保存システムである。
【００１１】
データ保存装置は、認証カードに書き込まれた識別番号を読み出し、識別番号をサーバに送信する。サーバの読み出し手段は、識別番号に対応するデータを読み出す。本発明において、サーバのデータはテキストデータである。
【００１２】
第２の発明では、例えば店舗等にデータ保存装置を設置することにより、データ保存装置が設置してある場所ならばどこででも、携帯端末の情報記憶形式に関わらず、電話帳情報等の復元が行える。
【００１３】
第３の発明は、サーバにネットワークを介して接続されたデータ保存装置であって、携帯端末から送られる携帯端末データを他の形式のデータに変換する手段と、他の形式のデータをサーバに送信する手段を有するデータ保存装置である。
【００１４】
第４の発明は、サーバにネットワークを介して接続されたデータ保存装置であって、サーバから送られるデータを携帯端末の携帯端末データに変換して、携帯端末に送信するデータ保存装置である。
【００１５】
第５の発明は、データ保存装置にネットワークを介して接続されたサーバであって、データ保存装置から送られる識別番号に対応するデータを読み出す読み出し手段と、データをデータ保存装置に送信する手段を有するサーバである。
【００１６】
【発明の実施の形態】
以下、図面に基づいて本発明の実施の形態を詳細に説明する。図１は、本発明の１実施の形態に係るデータ保存システムＡの概略構成図、図２は、電話帳データベース７に保存するテキストファイルの１例を示す図、図３は、電話帳データ１０７の１例を示す図である。
【００１７】
図１に示すように、本発明に係るデータ保存システムＡは、店舗等に設置されたデータ保存装置１と、そのデータ保存装置１とネットワーク３３を介して接続されるサーバ３を有している。
【００１８】
データ保存装置１は、制御部９、携帯送受信部１１、認証カード読み書き部１３、ユーザインタフェース部１５、サーバ送受信部１７、データ変換部１９等を有する。
【００１９】
携帯送受信部１１は、携帯電話機５と電話帳情報などの送受信を行う。認証カード読み書き部１３は、データ保存装置１に挿入された認証カード１４の識別番号を読み出したり、識別番号を書き込んだ新規の認証カード１４を発行する。ユーザインタフェース部１５は、データ保存装置１を使用するユーザに対してメニューを表示したり、ユーザからの入力を行う。サーバ送受信部１７は、サーバ３とネットワーク３３を介して電話帳情報などの送受信を行う。データ変換部１９は、携帯電話機５から受信した電話帳情報をテキストファイルに変換したり、サーバ３から受信したテキストファイルを携帯電話機５の電話帳情報に変換する。制御部９は、データ保存装置１のこれらの機能全体を制御する。
【００２０】
サーバ３は、電話帳データベース７と、制御部２１、データ送受信部２３、データ管理部２５を有する。電話帳データベース７は、データ保存装置１から送信された電話帳情報を保存する。データ送受信部２３は、ネットワーク３３を介してデータ保存装置１と電話帳情報、識別番号などの送受信を行う。
データ管理部２５は、電話帳データベース７への電話帳情報の保存、読み出しを行う。制御部２１は、サーバ３のこれらの機能全体を制御する。
【００２１】
携帯電話機５は、制御部２７、データ送受信部２９、メモリ３１などを有し、ケーブルなどを介してデータ保存装置１に接続される。メモリ３１には、電話帳情報などが保存されている。データ送受信部２９は、データ保存装置１と電話帳情報の送受信を行う。制御部２７は、携帯電話機５のこれらの機能全体を制御する。
【００２２】
図２に示すように、サーバ３の電話帳データベース７内の電話帳情報は、携帯電話機５のメモリ３１に保存されている電話帳情報をテキストデータ形式に変換し、識別番号を付加したテキストファイル１０１である。
【００２３】
テキストファイル１０１は、例えば、識別番号１０３、グループ名１０５、電話帳データ１０７を有する。テキストファイル１０１の先頭には識別番号１０３があり、その後、グループ１０５ごとに、そのグループに属する電話帳データ１０７を並べている。電話帳データ１０７は、グループ単位ではなく、たとえば、電話帳データ１０７を携帯電話機５に登録したときに付与する登録番号順に並べるようにしてもよい。
【００２４】
図３に示すように、電話帳データ１０７は名前１０９、読み仮名１１３、電話番号１１５、メールアドレス１１７などを有している。このほかに、グループ番号、電話種類、備考メモなどを保存するようにしてもよい。電話帳データ１０７の各項目１０９〜１１７はタブ１１１により区切り、電話帳データ１０７の末尾には改行を付加する。
【００２５】
次に、図４、５を参照しながら、本発明に係るデータ保存システムＡの動作を説明する。図４は、本発明に係るデータ保存システムＡが電話帳情報を保存する動作を示すフローチャート、図５は、本発明に係るデータ保存システムＡが電話帳情報を復元する動作を示すフローチャートである。
【００２６】
携帯電話機５の電話帳情報を保存しようとするユーザは、店舗等に設置されたデータ保存装置１にケーブル３５で携帯電話機５を接続し（ステップ２０１）、データ保存装置１上に表示されたメニューから「保存」を選択する（ステップ２０２）。
【００２７】
ユーザの「保存」メニュー選択に応答して、データ保存装置１は、携帯電話機５に電話帳情報の送信を要求すると、携帯電話機５はメモリ３１内に保存されている名前、電話番号、メールアドレス、グループ名等の電話帳情報を、ケーブル３５を介してデータ保存装置１に送信する（ステップ２０４）。
【００２８】
データ保存装置１の携帯送受信部１１が携帯電話機５からの電話帳情報を受信すると、データ変換部１９でテキストデータに変換する。一意的な識別番号１０３を設定してテキストデータに付加し、テキストファイル１０１を作成する（ステップ２０５）。
【００２９】
データ保存装置１のサーバ送受信部１７は、作成したテキストファイル１０１を、ネットワーク３３を介してサーバ３に送信する（ステップ２０６）。サーバ３のデータ送受信部２３がテキストファイル１０１を受信し、データ管理部２５が受信したテキストファイル１０１を電話帳データベース７に保存する（ステップ２０７）。テキストファイル１０１の名前は、たとえば、「識別番号．ｔｘｔ」のように識別番号１０３を使用したものにしてもよい。
【００３０】
データ保存装置１の認証カード読み書き部１３は、設定した識別番号１０３を認証カード１４に書き込み、発行する（ステップ２０８）。ユーザは、認証カードを受け取り、携帯電話機５をデータ保存装置１から取り外す。
【００３１】
次に、電話帳情報を復元する場合について説明する。携帯電話機５に電話帳情報を復元しようとするユーザは、店舗等に設置されたデータ保存装置１にケーブル３５で携帯電話機５を接続し（ステップ３０１）、データ保存装置１上に表示されたメニューから「復元」を選択する（ステップ３０２）。
【００３２】
ユーザの「復元」メニュー選択に応答して、データ保存装置１はユーザに認証カード１４の挿入を要求する（ステップ３０３）。ユーザが認証カード１４を挿入すると、認証カード読み書き部１３は、認証カード１４から識別番号１０３を読み出す（ステップ３０４）。尚、ユーザがＩＤ、パスワード等を入力して認証するようにしてもよい。
【００３３】
データ保存装置１のサーバ送受信部１７は、ネットワーク３３を介して読み出した識別番号１０３をサーバ３に送信し、この識別番号１０３に対応するテキストファイル１０１の読み出しを要求する（ステップ３０５）。
【００３４】
サーバ３のデータ管理部２５は、受信した識別番号１０３に対応するテキストファイル１０１を検索して読み出し（ステップ３０６）、データ送受信部２３はネットワーク３３を介してデータ保存装置１に送信するステップ３０７）。
【００３５】
データ保存装置１のサーバ送受信部１７は、サーバ３からのテキストファイル１０１を受信し、データ変換部１９は、受信したテキストファイル１０１から電話帳情報を抽出し、携帯電話機５に対応する電話帳情報形式に変換する（ステップ３０８）。携帯送受信部１１は、変換した電話帳情報をケーブル３５を介して携帯電話機５に送信する（ステップ３０９）。
【００３６】
携帯電話機５のデータ送受信部２９は電話帳情報を受信し、メモリ３１に受信した電話帳情報を保存する（ステップ３１０）。ユーザは、携帯電話機５に電話帳情報が復元されたのを確認して、携帯電話機５をデータ保存装置１から取り外す（ステップ３１０）。
【００３７】
本実施形態によれば、ユーザはパソコンや専用アプリケーション、および接続ケーブル等を自分自身で用意することなく、コンビニエンスストアのような店舗や、駅の構内などに設置されたデータ保存装置で、容易に携帯端末の電話帳の保存、復元を行うことが可能となる。
【００３８】
また、電話帳情報はテキストデータ形式で保存するため、携帯端末がデータ保存装置の接続ケーブルに適合さえすれば、携帯端末の電話帳情報の保存形式に関わらず、電話帳情報の保存、復元ができる。
【００３９】
さらに、電話帳情報はシステムのサーバで保存されているため、ユーザはデータ保存装置が設置してある場所であれば、どこでも携帯端末の電話帳情報の保存、復元を行うことができる。
【００４０】
以上、添付図面を参照しながら本発明に係るデータ保存システムの好適な実施形態について説明したが、本発明に係る例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００４１】
例えば、電話帳情報だけでなく、送受信したメール等、テキストデータに変換できるものをデータ保存装置で保存、復元するという方法でもよい。
【００４２】
また、テキストデータに変換できない画像、音声などのデータについても、サーバのデータベース形式を拡張することにより、サーバのデータベースに保存、復元するようにしてもよい。
【００４３】
【発明の効果】
以上、説明したように本実施によれば、携帯端末の情報記憶形式に関わらず、電話帳情報等の復元が可能なデータ保存システムを提供することができる。
【図面の簡単な説明】
【図１】本発明の１実施の形態に係るデータ保存システムＡの概略構成図
【図２】電話帳データベース７に保存するテキストファイルの１例を示す図
【図３】電話帳データ１０７の１例を示す図
【図４】本発明に係るデータ保存システムＡの電話帳情報保存の動作を示すフローチャート
【図５】本発明に係るデータ保存システムＡの電話帳情報復元の動作を示すフローチャート
【符号の説明】
１　データ保存装置
３　サーバ
４　認証カード
５　携帯電話機
７　電話帳データベース
９　制御部
１１　携帯送受信部
１３　認証カード読み書き部
１５　ユーザインタフェース部
１７　サーバ送受信部
１９　データ変換部
２１　制御部
２３　データ送受信部
２５　データ管理部
２７　制御部
２９　データ送受信部
３１　メモリ
３３　ネットワーク
３５　ケーブル
【図１】
2004015617.tif 000003
【図２】
2004015617.tif 000004
【図３】
2004015617.tif 000005
【図４】
2004015617.tif 000006
【図５】
2004015617.tif 000007